(57)【要約】【課題】磁気抵抗ヘッドの利用に伴う非線形性の影響をオフセットする読取りチャネルを提供する。【解決手段】本発明の、磁気抵抗（ＭＲ）読取りヘッドに結合されるように適応された、磁気記録読取りチャネルにおいて利用されるデバイスは、制御可能な量の第二次非線形性を磁気記録読取りチャネル信号経路へと導入して磁気抵抗（ＭＲ）読取りヘッドの利用に伴う非線形性を少なくとも部分的にオフセットするように適応された集積回路を有する。本発明の磁気記録読取りチャネル信号経路における、磁気抵抗（ＭＲ）読取りヘッドの利用に伴う非線形信号効果を低下させる方法は、読取りチャネル信号の評価可能な二乗を読取りチャネル信号経路へと導入するステップを有する。【選択図】図１
2007257832.tif 000002
【特許請求の範囲】
【請求項１】
磁気抵抗（ＭＲ）読取りヘッドを含む磁気記録読取りチャンネル信号経路にて用いる集積回路であって、
非線形調節器が後続された可変利得増幅器（ＶＧＡ）であって、制御可能な量の第２次非線形性を該磁気記録読取りチャンネル信号経路に対して導入するための可変利得増幅器を含み、
該集積回路は、さらに該磁気記録読取りチャンネル信号経路内の該非線形調節器の後のところで結合された等化器を含み、及び
該等化器はエラー信号（ｅn）とスライサー出力信号
【数１】
2007257832.tif 000009
とを提供し、これにより該非線形調節器が、該等化器により生成される該エラー信号および該スライサー出力信号に基づいた制御信号に応答して第２次非線形性の量を調節するようになっており、ならびに
該制御信号が次式に従う
【数２】
2007257832.tif 000010
（ここで、
【数３】
2007257832.tif 000011
とする。）離散プロセスの積分に少なくとも一部基づくものである集積回路。
【請求項２】
磁気抵抗（ＭＲ）読取りヘッドの使用と関連する磁気記録読取りチャンネル信号経路における非線形信号効果を低減させる方法であって、
該読取りチャンネル信号の、大きさを変えることが可能な２乗を、該読取りチャンネル信号に導入するステップと、
該磁気抵抗（ＭＲ）読取りヘッドの使用と関連する該読取りチャンネル経路における該非線形信号効果を少なくとも部分的にオフセットするよう該読取りチャンネル信号の該大きさを変えることが可能な２乗を調節するステップとを含み、
該調節が該読取りチャンネル信号経路中の等化器により生成されるエラー信号（ｅn）に一部基づいているものであり、
該エラー信号に少なくとも一部基づいた該大きさを変えることが可能な２乗を調節するステップが、
該等化器により生成されたエラー信号およびスライサー出力信号（Ｙ＾ｎ）に基づいたスケールファクタを調節するステップから成るものであり、および
該等化器により生成されたエラー信号およびスライサ出力信号に基づいたスケールファクタを調節するステップが、次式
【数４】
2007257832.tif 000012
に従う離散プロセスの積分に基づいたスケールファクタを調節するステップから成るものである方法。
【請求項３】
請求項２に記載の方法において、
該読取りチャンネル信号の該大きさを変えることが可能な２乗を該読取りチャンネル信号経路に導入するステップが、
フィードフォワード（前向き）信号経路を介して該大きさを変えることが可能な２乗を導入することから成るものである方法。
【請求項４】
請求項２に記載の方法において、
該読取りチャンネル信号の該大きさを変えることが可能な２乗を該読取りチャンネル信号経路に導入するステップがフィードバック信号経路を介して該大きさを変えることが可能な２乗を導入することから成るものである方法。
【発明の詳細な説明】
【技術分野】
【０００１】
本発明は、読取りチャネル、より特定するに、磁気抵抗（ＭＲ）ヘッドとの利用に適応した読取りチャネルに関する。
【背景技術】
【０００２】
磁気抵抗（ＭＲ）ヘッドあるいは磁気抵抗（ＭＲ）読取りヘッドは、ディスクドライブあるいはその他の応用例における周波数の増加に伴って利用されている。磁気抵抗（ＭＲ）読取りヘッドについては、例えば、H.Suyamaらによる"Thin Film MR Head for High Density Rigid Disk Drive,"  IEEE Transactions on Magnetics,Volume 24,No.6,November,1988において記述されている。残念なことに、そのような磁気抵抗（ＭＲ）読取りヘッドは、瞬時の磁界を抵抗へと変換する際に、本質的に非線形となる。磁気抵抗（ＭＲ）ヘッドにより生成された非線形性を低下させる一つのアプローチは、ほとんど線形カーブ領域に近い応答曲線の領域において動作するように、読取りヘッドに電気的にバイアスをかけることである。
【発明の開示】
【発明が解決しようとする課題】
【０００３】
しかしながら、それにもかかわらず、例えば、磁気抵抗（ＭＲ）読取りヘッドの応答についての残存する非線形性、即ち残留非線形性、印加されたバイアスにおけるエラーのために、あるいはその他の理由のため、非線形性の影響を生成するであろうという点で、このようなアプローチは、いまもって不利である。それ故に、そのような磁気抵抗（ＭＲ）読取りヘッドにより生成された非線形性の影響を解決する必要性が存しているのである。
【課題を解決するための手段】
【０００４】
本発明の一実施例に従うと、磁気抵抗（ＭＲ）読取りヘッドに結合されるように適応した磁気記録読取りチャネルにおいて用いられるデバイスは、以下の要素、すなわち、制御可能な量の第二次非線形性を磁気記録読取りチャネル信号経路へと導入し、磁気抵抗（ＭＲ）読取りヘッドの利用に伴う非線形性をオフセットするように適応された集積回路、から成っている。
【０００５】
本発明の別の実施例に従うと、磁気抵抗（ＭＲ）読取りヘッドの利用に伴う、磁気記録読取りチャネル信号経路における非線形性の影響を低下させる方法は、読取りチャネル信号についての評価可能な二乗を読取りチャネル信号経路へと導入するステップから成っている。
【発明の効果】
【０００６】
磁気抵抗（ＭＲ）読取りヘッドにより生成された非線形性を低下させる従来のアプローチが、非線形効果の除去の点で十分でなかったことに対して、本発明により、制御可能な量の第二次非線形性を磁気記録読取りチャネル信号経路へと導入することで、磁気抵抗（ＭＲ）読取りヘッドの利用に伴う非線形性を少なくとも部分的にオフセットするように適応された回路が実現された。
【発明を実施するための最良の形態】
【０００７】
例えば、ディスクドライブのような、磁気記録システムは、例えば、ディスクやディスケット上に保存されているような、電磁的に保存された信号を読取るのに、電子回路を利用している。典型的には、そのようなシステムは、例えば、Hugh M.Sierraによる"An Introduction to Direct Access Storage Devices" Academic Press,Inc.,(1990)で記述されているように、磁気誘導を利用している。
【０００８】
そのようなシステムについて、磁気抵抗（ＭＲ）ヘッドあるいは磁気抵抗（ＭＲ）読取りヘッドを利用するのも、次第に一般的になってきた。その一つの理由としては、読取りチャネルで利用されうる、その他の従来型の読取りヘッドと比較して、そのような読取りヘッドは、改良されたＳ／Ｎ比（信号対ノイズ比）を提供しうるということがある。
【０００９】
図２は、読取りチャネル信号経路を含む、磁気記録ユニット用の従来の読取りチャネルの実施例１００を例示するブロック線図である。読取りチャネル１００は、磁気抵抗（ＭＲ）読取りヘッド２００に結合されたものとして例示されている。もちろん、例示された構成要素は、ＤＣ（直流）バイアス電圧を低下させるようにＡＣ（交流）結合されている。図２で例示されているように、磁気抵抗（ＭＲ）読取りヘッド２００は、図２でｍ（ｔ）と示された磁界強度信号を受け取りうる。このような磁界強度信号に応答して、読取りヘッド２００は、図２でｒ（ｔ）と示された、抵抗値の形式での信号を提供しうる。抵抗値ｒ（ｔ）に応答して、電圧信号ｖ（ｔ）を生成する前置増幅器３００に、このような抵抗値は供給されうる。例示されているように、このような電圧信号は、読取りチャネル１００へと供給されうる。このような特定の実施例では、読取りチャネル１００は、可変利得増幅器（variable gain amplifier,ＶＧＡ）４００、等化器５００、ビタビ検出器６００から成っている。もちろん、読取りチャネルについての選択的な実施例が利用されうることは認められよう。例えば、選択的には、決定フィードバック等化器（decision feedback equalizer,ＤＦＥ）が、読取りチャネルにおいて利用されうる。
【００１０】
図２で例示されているように、ＶＧＡ４００は、電圧信号ｖ（ｔ）を受け取り、増幅された電圧信号Ｖ（ｔ）を生成する。この増幅された電圧信号は、読取りチャネル信号経路に沿って等化器５００へと供給され、等化器５００は、図２でＹnと示された、部分応答最尤信号のような、等化処理がなされた信号を生成する。磁気記録システムにおける等化器及び部分応答最尤信号の利用は、例えば、K.Sam Shanmugamによる、"Digital and Analog Communication Systems" John Wiley and Sons,Inc.(1979)で記述されているように、当該技術分野においてはよく知られている。このような特定の実施例においては、Ｙnについての理想的な値は、＋１、−１、あるいは０でありうる。等化処理がなされた信号Ｙnは、読取りチャネル信号経路に沿ってビタビ検出器６００へと供給され、ビタビ検出器６００は、デジタルデータ信号Ｄnを供給する。これらのデジタルデータ信号は、デジタルパルスの形式をとりうるもので、磁気記録システムを含みうるパーソナルコンピュータあるいはその他のシステムといったようなものへの物理的バスへと供給される前に、さらに処理されうる。例えば、逐次復号あるいは別の形式の信号処理が利用されうる。部分応答最尤（partial response maximum likelihood,ＰＲＭＬ）読取りチャネルデバイスについては、例えば、Sonntagらによる、IEEE Transactions On Magnetics,Volume 31,No.2,March 19,1995に掲載の"A High Speed,Low Power PRML Read Channel Device,"において記述されている。
【００１１】
よく知られているように、磁気抵抗（ＭＲ）読取りヘッドは、実質的に瞬時の磁界強度信号を抵抗値信号へと変換するように動作する。さらにまた、結果としての抵抗値信号と磁界強度信号の間の関係は、非線形である。従来は、磁気抵抗（ＭＲ）読取りヘッドの応答曲線のもっとも線形な領域にできるだけ接近させるように、磁気抵抗（ＭＲ）読取りヘッドにバイアスをかける試みがなされている。同様に、例えば、図２で例示されているように、結果としての抵抗値は、典型的な実施例において前置増幅器の電圧へ変換されている。様々な理由から、磁気抵抗（ＭＲ）ヘッドにバイアスをかけるこのような試みでは、非線形性の影響を十分に除去しえず、それ故に、保存媒体から保存された信号を得るプロセスの間にエラーが導入されうるのである。
【００１２】
概算として、磁気抵抗（ＭＲ）読取りヘッドにより生成された抵抗値ｒ（ｔ）は、以下の関係、すなわち、ｒ（ｔ）は、ｍ（ｔ）＋αｍ2（ｔ）に比例する、に従って記述されうる。本発明に従った読取りチャネルの実施例は、以下でより詳細に記述されるように、アルファ（α）を近似しうるもので、制御可能な量の第二次非線形性を読取りチャネル信号経路へと導入し、磁気抵抗（ＭＲ）読取りヘッドの利用に伴う非線形効果を、概ねキャンセルするか、あるいは少なくとも部分的にオフセットしうるものである。さらに、本発明に従った読取りチャネルの実施例では、以下でより詳細に説明されるように、アルファは、適応的に近似されうる。磁気抵抗（ＭＲ）読取りヘッドの利用に伴う非線形ひずみの量は、実際のシステム動作については、前もって予測することは困難でありうることから、適応的な近似は、少なくとも部分的には、従来のバイアスをかけるアプローチ以上の利点を提供しうるのである。
【００１３】
本発明に従った読取りチャネルの一実施例１０００が、図１で例示されている。磁気抵抗（ＭＲ）読取りヘッド２０００が例示されている。もっとも、示されているように、図１のヘッド２０００は、上での表現、すなわち、ｒ（ｔ）は、ｍ（ｔ）＋αｍ2（ｔ）に比例する、という近似を元にしている。もちろん、磁界強度と抵抗値の間の関係についてのこのような近似的な記述は、第二次までに限るということは認められるところであろう。同様に、伝達関数Ｉｈ1（ｔ）を有する前置増幅器３０００が例示されている。前置増幅器３０００が、受け取られたアナログ信号に対するナイキスト速度よりも高いといったように、相対的に広帯域である場合には、前置増幅器に対する伝達関数は、スケールファクター（基準化因子）あるいは実質的に一定の遅延として近似されうる。従って、このような特定の実施例について図１で例示されているように、前置増幅器の後で調節が導入されうるべく、前置増幅器は、磁気抵抗（ＭＲ）読取りヘッドから受け取った信号についての大きさ及び位相の関係を、概ね維持している。また、もちろん、これらの構成要素間の結合は、ＤＣ（直流）バイアス電圧を低下させるか、あるいは除去するように、ＡＣ（交流）結合となっていることは理解されよう。
【００１４】
図１で例示されているように、読取りチャネル１０００は、可変利得増幅器（variable gain amplifier,ＶＧＡ）４０００及び非線形調節装置１１００を含んでいる。さらにまた、例示されているように、このような特定の実施例においては、因子ベータ（β）により評価され、等化器５０００に先だって導入された読取りチャネル信号の二乗としての制御可能な量の非線形性を、磁気記録読取りチャネル信号経路へと導入するように、非線形調節装置１１００は適応されている。このような実施例においては、ＶＧＡの後では、電圧信号レベルの相対的安定性が、処理をより都合の良いものとすることから、少なくとも部分的には、読取りチャネル信号経路におけるこのような点でかような調節を導入することが望ましいのである。さらにまた、等化に先だって調節を導入することは、読取りチャネル信号の基本成分及び高調波成分についての相対的な大きさ及び位相に影響を及ぼしうる、等化器による信号処理についての複雑さを避けるものである。もっとも、本発明は、その保護の範囲において、読取りチャネル信号経路における、このような特定の点で調節を導入することに限定されるものではない。
【００１５】
図１で例示されているように、以下の式、数３についての非線形調節は、調節可能な利得βをもって読取りチャネル信号の二乗を導入することで実現される。
【数１】
2007257832.tif 000003
磁気抵抗（ＭＲ）読取りヘッドの利用に伴う非線形性を少なくとも部分的にオフセットするように、読取りチャネル信号の二乗が導入されているが、このような非線形調節は、磁界強度信号ｍ（ｔ）及び抵抗値信号ｒ（ｔ）間の近似的な関係を記述している、ｒ（ｔ）は、ｍ（ｔ）＋αｍ2（ｔ）に比例する、という上述 の表現と一致している。同様に、ｒ（ｔ）は、ｍ（ｔ）＋αｍ2（ｔ）に比例す る、という表現を得るため、ＡＣ（交流）結合により一定のバイアス電圧信号は著しく低下され、第二次以上のより高次の項を伴う信号は無視されうるということが前提とされている。
【００１６】
上の数３の表現を元にすると、ベータ（β）についての望ましい値は、少なくとも部分的には、Ｖ（ｔ）のピーク電圧の大きさ（振幅）に依存するであろう。従って、また、等化に先だち、可変利得増幅器（variable gain amplifier,ＶＧＡ）の後に導入することは、必須はされないが、便益を提供するものである。図１で例示されているように、そして、以下でより詳細に説明されるように、βの値は、等化器５０００により生成された信号を元に、少なくとも部分的には、調節可能あるいは制御可能である。それでもなお、図１で例示されているように、非線形調節装置１１００は、読取りチャネル信号の二乗を、読取りチャネル信号経路へと導入しうるのである。そして、この読取りチャネル信号経路は、磁気抵抗（ＭＲ）読取りヘッドの利用に伴う第二次非線形性を、少なくとも部分的にオフセットするか、あるいは、概ねにせよキャンセルする。
【００１７】
より高次の項を無視すると、非線形調節装置１１００の出力信号ｙ（ｔ）は、以下の等式、数４により近似されうる。
【数２】
2007257832.tif 000004
上の等式、数４の分析が明らかにしているように、αがβに等しい場合、ｍ2（ ｔ）の項はキャンセルされる。さらに、残りのより高次の項は、初期のひずみよりもはるかに小さく、それ故に、本質的に無視されうる。読取りチャネル信号への等化器の影響のために、等化器あるいはスライサー（スライス回路）の後で読取りチャネル信号経路へ非線形調節装置を導入するのは困難であろう。にもかかわらず、ひずみ検出については、なお、等化器の後の読取りチャネル信号経路において実行されうる。等化器により生成されたエラー信号は、都合の良いことに、このような検出を実行するため利用されうる。高次の項を無視し、利得、オフセット、及び等化器の調節が適切に実行されたことを前提とすると、等化器５０００により生成されたエラー信号ｅnは、以下の等式、数５により近似されうる。
【数３】
2007257832.tif 000005
ここで、ｈe（ｔ）は、等化器に対する伝達関数であり、ｎｏｉｓｅnは、このような実施例では、サンプル時間（時刻）ｎＴにおいて、読取りチャネル信号経路におけるアナログ信号サンプリング回路５２００で評価された、読取りチャネル信号における実質的に瞬時のノイズであり、Ｔはサンプル期間であり、ｎは正の整数である。
【００１８】
少なくとも部分的に、数５の等式を元に、非線形ゆがみ（nonlinear distortion,ＮＬＤ）の計量が展開されうるとすれば、フィードバック制御を用いて、βに対する適切な値は適応的に調節されうる。そして、この非線形ゆがみ（nonlinear distortion,ＮＬＤ）の計量は、例えば、（α−β）が概ね０に等しいときには、ＮＬＤの計量は０という平均値を、（α−β）が０よりも大きいときには、正の平均値を、（α−β）が０よりも小さいときには負の平均値を持つというように、（α−β）に関係するものとなっている。例えば、そのような計量が積分され、βが当該積分についての単調関数となるように、βの値を制御あるいは調節するのに用いられるとすれば、その際、フィードバック制御を利用することで、βが概ねαに等しくなることを保証されるべきものとなり、これは、望まれた結果といえる。
【００１９】
前にも示されたように、本発明の保護の範囲内では、考えられる異なった計量が幾つも利用されうるが、このような特定の実施例にとって都合の良い計量は、少なくとも部分的には、スライサー（スライス回路）出力信号及び等化器５０００により生成されたエラー信号を元とされうる。このようなアプローチは、ｅn及びＹハットｎ（数１）を得る際に等化器により実行される処理を効果的に利用し、さらに加えて、読取りチャネル信号経路における、磁気抵抗（ＭＲ）読取りヘッドの利用に伴う非線形性の影響を少なくとも部分的にオフセットするものである。
もっとも、本発明は、その保護の範囲において、このような側面に限定されるものではない。
【００２０】
そのような計量の一つは、以下の等式、数６に従い利用されうる。
【数４】
2007257832.tif 000006
もっとも、また、本発明の保護の範囲は、このような側面に限定されるものではない。
【００２１】
このような特定の計量の利点の一つとしては、かなりの量の付加的な信号処理を導入するよりも既存の等化器配置を利用しうるものであり、そのため、ソフトウエアにおける実施例といったような、他の選択的な実施例よりも、実際の応用例をより都合の良いものとするということがある。さらにまた、本発明は、その保護の範囲において、ハードウエアによる実施例に制限されるものではないが、にもかかわらず、相対的に高速な処理速度が望まれている環境では、ハードウエアにおける非線形調節を実施する能力の方が、他の実施例以上の利点を提供するといえる。
【００２２】
このような計量についての期待値は、望まれているように、それが、（α−β）に関連した値を生成することを明示している。すなわち、
【数５】
2007257832.tif 000007
しかしながら、Ｐnは、ノイズと相関関係はなく、Ｐnは、ｍ2（ｔ）と相関関係 がある。より特定すると、Ｐnは、大まかには、ｆ（ｘ）＝ｘ2に対応するように選択されてきた。それ故に、当該期待値は、以下のような結果を生成する。
【数６】
2007257832.tif 000008
【００２３】
図１は、本発明に従った読取りチャネルの実施例を例示し、前に記述された計量のような、計量を実施する。もっとも、本発明は、その保護の範囲において、このような側面に制限されるものではない。図１で例示されているように、非線形的に調節された信号ｙ（ｔ）の処理されたものは、図１ではＹ（ｔ）と示され、等化器５０００へと供給されている。図１の波線は、付加的な処理あるいは回路が、読取りチャネル信号経路におけるこれらの二点を結合しうることを例示している。もちろん、選択的には、これらの点は、中間的な処理あるいは回路なしに接続されうるものである。等化器５０００は、フィルター５１００及びアナログ信号サンプリング回路５２００を含んでいる。サンプリング回路５２００は、離散的信号サンプルＹnを生成し、これは、ビタビ検出器（示されていない）によりなされるような、読取りチャネルに沿ったさらなる処理のため供給されうる。さらにまた、離散的信号サンプルは、エラー信号ｅnを生成するスライサー（スライス回路）５３００へと供給される。一つの実施例では、スライサー（スライス回路）５３００は、比較器配置に結合された多数の比較器（示されていない）から成りうる。
【００２４】
ノード５４００では、スライサー（スライス回路）の出力信号についての、離散的信号サンプルとの比較が実行されている。そこで、エラー信号ｅn及びスライサー（スライス回路）出力信号Ｙハットｎ（数１）は、フィードバック信号として、計量ブロック１２００へと供給される。図１で例示されているように、計量ブロック１２００は、当該計量を実行し、ブロック１３００は、ブロック１２００により生成された結果としての出力信号を積分する。さらにまた、積分器１２００により供給された出力信号に応答して、積分器１３００は、読取りチャネル信号の二乗に対するスケールファクター（基準化因子）であるβを調節する要素１１２０へと出力信号を供給する。
【００２５】
このような特定の実施例において、前に記述された計量を利用する利点の一つは、結果としてのフィードバックが、読取りチャネル信号の利得エラーあるいはオフセットエラーに対して相対的に与える影響が少ないということがある。例えば、前に記述された計量の積分については、利得エラーあるいはオフセットエラーは、概ね平均的なものとなることが明示されうる。本発明に従った読取りチャネルの実施例で、その他のフィードバック制御機構を含みうるものについては、前述のフィードバック制御は、利得あるいはオフセットエラー調節に利用されうるフィードバック制御と相対的に独立したものとなるべきことが示されることから、この点は望ましいものといえる。
【００２６】
図１で例示された実施例は、サンプリングされたデータ系を有するものであるが、本発明は、その保護の範囲において、このような側面に限られるものではない。例えば、すべてデジタル回路あるいはすべてアナログ回路とする実施例も利用されうる。さらにまた、このような特定の実施例は、等化器及びビタビ検出器による実施例を例示しているけれども、選択的には、例えば、決定フィードバック等化器（decision feedback equalizer,ＤＦＥ）による実施例も利用されうる。同様に、ＰＲ−ＩＶ信号方式及び最尤検出による実施例が記述されているが、本発明は、その保護の範囲において、ＰＲ−ＩＶ（信号方式）による実施例に制限されるものではない。
【００２７】
図４は、本発明に従った読取りチャネルの別の実施例の部分を例示しているブロック線図である。図４は、非線形調節装置の選択的な実施例１１０５を例示している。図１は、フィードフォワード（前送り）非線形調節装置の実施例を例示しているが、図４は、フィードバック非線形調節装置の実施例を例示している。特定の実施例によって、両方のアプローチとも、利点及び不利な点を伴っており、本発明は、その保護の範囲において、いずれのアプローチにも限定されるものではない。例えば、フィードバック信号経路によるアプローチは、理想的には、第二次の項以上のより高次の項についてのキャンセルを提示しうるものであることが明示されうる。しかしながら、フィードフォワード（前送り）信号経路によるアプローチは、フィードバックではシステムにおける付加的な時間遅延を導入しうるものであることから、少なくとも部分的には、よりよいバンド幅（帯域幅）を示しうるのである。このように、いずれの実施例も、適切な環境においては望ましいものであることを示しうるのである。
【００２８】
図１で例示されているように、非線形調節装置１１００を含む、読取りチャネル１０００は、集積回路（ＩＣ）あるいはその他のデバイス内あるいはその上で実施されうる。もっとも、本発明は、その保護の範囲において、このような側面に限定されるものではない。例えば、出願人整理番号９６０１７３の出願明細書で記述されているような、差動増幅器回路は、非線形調節装置１１００を実施するため利用されうる。もっとも、また、本発明は、その保護の範囲において、このような側面に限定されるものではない。前述の特許出願で記述されているが、差動増幅器回路の差動出力電圧信号が、差動増幅器回路に印加された差動入力電圧信号の評価可能な二乗を含むように、差動増幅器は回路配置に結合されうる。さらに、差動出力電圧信号の二乗は、様々な手段により評価されうる。考えられるアプローチの幾つかのみを挙げると、制御電圧を調節する、抵抗器の値を調節する、あるいは、増幅器の利得を調節するといったような手段による。そのような実施例は、非線形調節装置が、差動増幅器のような従来の電子回路の構成要素を用いて、集積回路において便利に実施されうるという点で都合が良く、このような回路の構成要素は、望みの非線形調節装置を実施するように回路配置に結合されうるものである。
【００２９】
さらにまた、図３は、前に記述されたように、本発明に従った読取りチャネルの実施例におけるフィードバック制御を実施するバイナリデジタル信号プロセッサーの実施例を例示するブロック線図である。もっとも、本発明は、その保護の範囲において、このような特定の実施例に制限されるものではない。図３は、特定の一つの実施例のみを例示しており、本発明は、その保護の範囲において、フィードバック制御について、このような特定の実施例に制限されるものではない。それでもなお、例示されているように、Ｙハットｎ（数１）及びｅnは、等化器５０００のような等化器から得られうる。図３は、等式、数６に従うように、計量を実施するブロック４０を例示している。このような計量は、例えば、バイナリデジタル回路を用いる従来の手法で実施されうる。もっとも、当該回路は、図３で明示的に例示されていない。示されているように、ある計量に従ったこのような処理の結果は、二つの入力ポートの一つを経由して、加算器１０へと供給されうる。加算器１０は、離散的統合を実施するようにフィードバック配置で結合されている。従って、図３で例示されているように、加算器１０により生成された出力信号は、レジスタ２０へと供給され、レジスタ２０により含まれ、あるいは保存されたバイナリデジタル信号は、加算器１０の他の入力ポートへとフィードバックされ、さらにまた、デジタルアナログ変換器（digital-to-analog converter,ＤＡＣ）３０へと供給される。それ故に、ＤＡＣ３０は、図３でＶCNLと示されたアナログ信号を、図１で示された１１００のような非線形調節装置へと供給しうる。例えば、本発明は、その保護の範囲において、このような側面に限定されるものではないが、このようなアナログ信号は、前述の出願人整理番号９６０１７３の出願明細書で記述されているように、差動増幅器回路への電圧制御信号として供給されうるのである。
【００３０】
実施例１０００のような磁気抵抗（ＭＲ）読取りヘッドに結合された磁気記録読取りチャネルにおいて用いられるデバイスは、以下の方法に従って動作されうる。読取りチャネル信号の評価可能な二乗は、読取りチャネル信号経路へと導入されうる。例えば、図１の非線形調節装置１１００は、このような処理ステップを実行する技術を例示するブロック線図である。例えば、前述の同時出願された出願人整理番号９６０１７３の出願明細書で記述された差動増幅器回路のような、幾つもの回路の実施例の任意の一つが、このような非線形調節を実行するのに利用されうる。もっとも、もちろん、本発明は、その保護の範囲において、このような側面に限定されるものではない。さらにまた、読取りチャネル信号の二乗に対するスケールファクター（基準化因子）は、読取りチャネル信号経路における、磁気抵抗（ＭＲ）読取りヘッドの利用に伴う非線形性の影響を少なくとも部分的にオフセットするように調節されうる。さらに、前で記述されたように、当該調節は適応的に実行されうる。また、このような適応的調節ステップを実行するのに、幾つもの技術の任意の一つが利用されうる。例えば、図１で示された実施例により例示されているように、図１での等化器５０００のような等化器により生成された、スライサー（スライス回路）出力信号Ｙハットｎ（数１）及びエラー信号ｅnは、前で記述されたＮＬＤの計量を実施するために利用されうる。同様に、等化器により生成された信号は、図３で例示されたバイナリデジタル信号プロセッサーの実施例によってなされるように、このような計量に従って処理され、積分されうる。生成されたデジタル信号は、図３で例示されたＤＡＣ３０のようなＤＡＣへと供給されうる。そして、このようなアナログ信号は、前に記述された適応的調節を実行するため利用されうる。
【図面の簡単な説明】
【００３１】
【図１】図１は、本発明に従った読取りチャネルの一実施例を例示するブロック線図である。
【図２】図２は、磁気抵抗（ＭＲ）読取りヘッドに結合された、従来の磁気記録読取りチャネルの実施例についてのブロック線図である。
【図３】図３は、本発明に従った読取りチャネルの実施例において利用されうるバイナリデジタル信号プロセッサーの実施例を例示するブロック線図である。
【図４】図４は、本発明に従った読取りチャネルの実施例において利用されうる非線形調節装置の実施例を例示するブロック線図である。
【符号の説明】
【００３２】
１０  加算器
２０  レジスタ
３０  デジタルアナログ変換器（digital-to-analog converter,ＤＡＣ）
４０  計量を実施するブロック
１００  読取りチャネル（従来の読取りチャネルの実施例）
２００  磁気抵抗（ＭＲ）読取りヘッド
３００  前置増幅器
４００  可変利得増幅器（variable gain amplifier,ＶＧＡ）
５００  等化器
６００  ビタビ検出器
１０００  読取りチャネル（本発明に従った読取りチャネルの実施例）
１１００  非線形調節装置
１１０５  非線形調節装置（選択的実施例）
１１２０  βを調節する要素
１２００  計量ブロック（積分器）
１３００  積分器（ブロック）
２０００  磁気抵抗（ＭＲ）読取りヘッド
３０００  前置増幅器
４０００  可変利得増幅器（variable gain amplifier,ＶＧＡ）
５０００  等化器
５１００  フィルター
５２００  アナログ信号サンプリング回路
５３００  スライサー（スライス回路）
５４００  ノード
【図１】
2007257832.tif 000013
【図２】
2007257832.tif 000014
【図３】
2007257832.tif 000015
【図４】
2007257832.tif 000016